(57)【要約】【課題】本発明は、巻線供給ノズルの旋回および揺動できるスペースを確保した上で巻線の占積率を高めるステータの製造方法およびステータを提供することを目的とする。【解決手段】ステータ１０は、ステータコア１２と巻線１４を備える。ステータコア１２は、環状のヨーク１８、ヨーク１８の内周から突出した複数のティース２０、および隣り合うティース２０の間に形成されたスロット２２ａ、２２ｂを備える。ティース２０の間隔が異なることによって、スロット２２ａ、２２ｂの大きさも変化する。【選択図】図１
2013258822.tif 000002
【特許請求の範囲】
【請求項１】
集中巻型回転電機用のステータの製造方法であって、
環状のヨーク、該ヨークの内周から突出する複数のティース、および周方向に隣接するティース間に形成されたスロットを有する円筒状のステータコアを形成する工程と、
前記ステータコアの中心軸を中心として径方向に伸縮自在に延出する複数の巻線供給ノズルを、周方向に隣接する複数の前記スロットに一つずつ配し、前記各巻線供給ノズルを前記ステータコアに対して中心軸方向に相対的に往復移動させるとともに、周方向に相対的に所定角度で揺動させることにより、前記巻線供給ノズルと同数の前記ティースに巻線を同時に巻回し、前記ティースに対して最外周に巻回される前記巻線は、前記巻線供給ノズルを前記スロットの奥側から手前に移動させながら巻き回す工程と、
を備え、
前記巻線供給ノズルの数（Ｎｎ（Ｎｎは自然数））が、前記スロット数（Ｎｓ（Ｎｓは自然数））の約数（但し、１及びＮｓを含まず）で、且つ、前記回転電機の相数（Ｎｐ（Ｎｐは自然数））の倍数（但し、Ｎｐを含む）であり、
前記スロットが、第１スロット、および該第１スロットよりも周方向の長さが小さい第２スロットを備え、該第１スロットが巻線供給ノズルの数ごとに配置され、
前記巻き回す工程において、第１スロット同士の間にあるティースに同時に巻線を巻き回すことを特徴とする、ステータの製造方法。
【請求項２】
前記ステータコアを形成する工程において、
前記ティースの先端において周方向に伸びたツバ部、および該ツバ部同士の間に形成されたスロット開口部を備え、該スロット開口部がステータコアの周方向に等ピッチで且つ同一幅で形成されており、
前記第１スロットを形成するためのティースが、ステータコアの中心軸の方向を向き、
前記第１スロットを形成するツバ部が、第２スロットを形成するためのツバ部よりも長くする
請求項１に記載のステータの製造方法。
【請求項３】
前記ステータコアを形成する工程において、
前記ティースの先端において周方向に伸びたツバ部、および該ツバ部同士の間に形成されたスロット開口部を備え、該スロット開口部がステータコアの周方向に等ピッチで且つ同一幅で形成されており、
前記第１スロットを形成するためのティースが、ステータコアの中心軸よりも第１スロット側の方向を向く
請求項１に記載のステータの製造方法。
【請求項４】
環状のヨーク、該ヨークの内周から突出する複数のティース、および周方向に隣接するティース間に形成されたスロットを有する円筒状のステータコアを備えた集中巻型回転電機用のステータの製造方法であって、
前記ステータコアの中心軸を中心として径方向に伸縮自在に延出する複数の巻線供給ノズルを、周方向に隣接する複数の前記スロットに一つずつ配し、前記各巻線供給ノズルを前記ステータコアに対して中心軸方向に相対的に往復移動させるとともに、周方向に相対的に所定角度で揺動させることにより、前記巻線供給ノズルと同数の前記ティースに巻線を同時に巻回し、前記ティースに対して最外周に巻回される前記巻線は、前記巻線供給ノズルを前記スロットの奥側から手前に移動させながら巻き回す工程と、
を備え、
前記巻線供給ノズルの数（Ｎｎ（Ｎｎは自然数））が、前記スロット数（Ｎｓ（Ｎｓは自然数））の約数（但し、１及びＮｓを含まず）で、且つ、前記回転電機の相数（Ｎｐ（Ｎｐは自然数））の倍数（但し、Ｎｐを含む）であり、
前記ステータコアが巻線供給ノズルの数と同数のティースを有する分割ステータコアから成り、
前記巻き回す工程において、分割ステータコアの全てのティースに対して同時に巻線を巻き回した後、分割ステータコア同士を接合するステータの製造方法。
【請求項５】
集中巻型回転電機用のステータの製造方法であって、
環状のヨーク、該ヨークの内周から突出する複数のティース、および周方向に隣接するティース間に形成されたスロットを有する円筒状のステータコアを形成する工程と、
前記ステータコアの中心軸を中心として径方向に伸縮自在に延出する複数の巻線供給ノズルを、周方向に隣接する複数の前記スロットに一つずつ配し、前記各巻線供給ノズルを前記ステータコアに対して中心軸方向に相対的に往復移動させるとともに、周方向に相対的に所定角度で揺動させることにより、前記巻線供給ノズルと同数の前記ティースに巻線を同時に巻回し、前記ティースに対して最外周に巻回される前記巻線は、前記巻線供給ノズルを前記スロットの奥側から手前に移動させながら巻き回す工程と、
を備え、
前記巻線供給ノズルの数（Ｎｎ（Ｎｎは自然数））が、前記スロット数（Ｎｓ（Ｎｓは自然数））の約数（但し、１及びＮｓを含まず）で、且つ、前記回転電機の相数（Ｎｐ（Ｎｐは自然数））の倍数（但し、Ｎｐを含む）であり、
周方向両端に位置する前記巻線供給ノズルと周方向に隣接する他の前記巻線供給ノズルのなす角度が、前記ステータの中心軸に対するスロット同士の角度よりも小さい、ステータの製造方法。
【請求項６】
環状のヨーク、該ヨークの内周から突出する複数のティース、および周方向に隣接するティース間に形成されたスロットを有する円筒状のステータコアと、
前記ステータコアの前記各ティースに集中巻きで巻回された巻線と、
を備えた集中巻型回転電機用のステータであって、
前記スロットが、第１スロットと、該第１スロットよりもステータコアにおける周方向の長さが小さい第２スロットと、を備え、
前記第１スロットが、一の第１スロットを基準として、該一の第１スロットから周方向に、前記スロット数（Ｎｓ（Ｎｓは自然数））の約数（但し、１及びＮｓを含まず）で、且つ、前記回転電機の相数（Ｎｐ（Ｎｐは自然数））の倍数（但し、Ｎｐを含む）に相当する数（Ｎ（Ｎは自然数））毎の位置に配設されていることを特徴とする、ステータ。
【請求項７】
前記ステータコアにおいて、
前記ティースの先端において周方向に伸びたツバ部、および該ツバ部同士の間に形成されたスロット開口部を備え、該スロット開口部がステータコアの周方向に等ピッチで且つ同一幅で形成されており、
前記第１スロットを形成するためのティースが、ステータコアの中心軸の方向を向いており、
前記第１スロットを形成するツバ部が、第２スロットを形成するためのツバ部よりも長い
請求項６に記載のステータ。
【請求項８】
前記ステータコアにおいて、
前記ティースの先端において周方向に伸びたツバ部、および該ツバ部同士の間に形成されたスロット開口部を備え、該スロット開口部がステータコアの周方向に等ピッチで且つ同一幅で形成されており、
前記第１スロットを形成するためのティースが、ステータコアの中心軸よりも第１スロット側の方向を向いている
請求項６に記載のステータ。
【発明の詳細な説明】
【技術分野】
【０００１】
本発明は、集中巻型回転電機用のステータの製造方法およびステータに関するものである。
【背景技術】
【０００２】
従来、円柱状のロータの周囲に環状のステータを備えた回転電機が種々開発されている。図８に示すように、回転電機５０が圧縮機５２に適用された場合、円筒状のパイプ５４の中にステータ５６が配置され、その中にロータ５８が配置される。圧縮機５２には、冷媒を供給する管６０、冷媒を吐出する管６２、巻線に接続される端子６４、および圧縮機構（図示せず）が設けられる。
【０００３】
ステータ５６は、ステータコア６６と巻線１４を備える（図９、図１０）。ステータコア６６は、環状のヨーク１８、ヨーク１８の内周から径方向に突出したティース２０、およびティース２０間に形成されたスロット２２を備える。集中巻型の回転電機５０の場合、１つのティース２０ごとに巻線１４が巻き回され、スロット２２に配置される。図９では巻線１４を省略している。
【０００４】
ティース２０に巻線１４を巻き回すために、巻線１４が送り出される巻線供給ノズル２８をステータコア６６の内方に挿入する。ティース２０を周回するように巻線供給ノズル２８の先端を旋回および揺動させ、先端から巻線１４を送り出すことによって、ティース２０に巻線１４を巻き回す。
【０００５】
巻線１４を巻き回す際、巻線供給ノズル２８のスペースが必要であり、巻線供給ノズル２８が旋回および揺動する部分には巻線１４を巻き回せない。極数が増えるとスロット２２が小さくなり、スロット２２に占める巻線供給ノズル２８の移動スペースの割合が大きくなる。そのため、下記の各特許文献は、スロット２２の奥から手前に向かって巻き回している。巻線供給ノズル２８のスペースまで巻線１４を巻き回すことができ、占積率を高めることができる。
【０００６】
しかし、１つのティース２０に巻線１４を巻き回した後、隣のティース２０に巻線１４を巻き回すとき、巻線供給ノズル２８のスペースに巻線１４があるため、隣のティース２０に巻線を巻き回せない。全てのティース２０に対して同時に巻線１４を巻き回す必要がある。ティース２０の数が増えると巻線供給ノズル２８をティース２０よりもの内方に収納することができず、特許文献のように巻線１４を巻き回せなくなる。
【先行技術文献】
【特許文献】
【０００７】
【特許文献１】特開２００３−１４３８１９号公報
【特許文献２】特開２００３−３２４８７８号公報
【特許文献３】特開２００４−２７４８７８号公報
【発明の概要】
【発明が解決しようとする課題】
【０００８】
本発明は、巻線供給ノズルの旋回および揺動できるスペースを確保した上で巻線の占積率を高めるステータの製造方法およびステータを提供することを目的とする。
【課題を解決するための手段】
【０００９】
本発明のステータの製造方法は、環状のヨーク、該ヨークの内周から突出する複数のティース、および周方向に隣接するティース間に形成されたスロットを有する円筒状のステータコアを形成する工程と、前記ステータコアの中心軸を中心として径方向に伸縮自在に延出する複数の巻線供給ノズルを、周方向に隣接する複数の前記スロットに一つずつ配し、前記各巻線供給ノズルを前記ステータコアに対して中心軸方向に相対的に往復移動させるとともに、周方向に相対的に所定角度で揺動させることにより、前記巻線供給ノズルと同数の前記ティースに巻線を同時に巻回し、前記ティースに対して最外周に巻回される前記巻線は、前記巻線供給ノズルを前記スロットの奥側から手前に移動させながら巻き回す工程とを備える。
【００１０】
前記巻線供給ノズルの数（Ｎｎ（Ｎｎは自然数））が、前記スロット数（Ｎｓ（Ｎｓは自然数））の約数（但し、１及びＮｓを含まず）で、且つ、前記回転電機の相数（Ｎｐ（Ｎｐは自然数））の倍数（但し、Ｎｐを含む）である。前記スロットが、第１スロット、および該第１スロットよりも周方向の長さが小さい第２スロットを備え、該第１スロットが巻線供給ノズルの数ごとに配置される。
【００１１】
本発明は、前記巻き回す工程において、第１スロット同士の間にあるティースに同時に巻線を巻き回すことを特徴とする。
【００１２】
前記ステータコアを形成する工程において、前記ティースの先端において周方向に伸びたツバ部、および該ツバ部同士の間に形成されたスロット開口部を備え、該スロット開口部がステータコアの周方向に等ピッチで且つ同一幅で形成されており、前記第１スロットを形成するためのティースが、ステータコアの中心軸の方向を向き、前記第１スロットを形成するツバ部が、第２スロットを形成するためのツバ部よりも長くする。
【００１３】
前記ステータコアを形成する工程において、前記ティースの先端において周方向に伸びたツバ部、および該ツバ部同士の間に形成されたスロット開口部を備え、該スロット開口部がステータコアの周方向に等ピッチで且つ同一幅で形成されており、前記第１スロットを形成するためのティースが、ステータコアの中心軸よりも第１スロット側の方向を向いても良い。
【００１４】
また本発明は、環状のヨーク、該ヨークの内周から突出する複数のティース、および周方向に隣接するティース間に形成されたスロットを有する円筒状のステータコアを備えた集中巻型回転電機用のステータの製造方法である。前記ステータコアの中心軸を中心として径方向に伸縮自在に延出する複数の巻線供給ノズルを、周方向に隣接する複数の前記スロットに一つずつ配し、前記各巻線供給ノズルを前記ステータコアに対して中心軸方向に相対的に往復移動させるとともに、周方向に相対的に所定角度で揺動させることにより、前記巻線供給ノズルと同数の前記ティースに巻線を同時に巻回し、前記ティースに対して最外周に巻回される前記巻線は、前記巻線供給ノズルを前記スロットの奥側から手前に移動させながら巻き回す工程を備える。
【００１５】
前記巻線供給ノズルの数（Ｎｎ（Ｎｎは自然数））が、前記スロット数（Ｎｓ（Ｎｓは自然数））の約数（但し、１及びＮｓを含まず）で、且つ、前記回転電機の相数（Ｎｐ（Ｎｐは自然数））の倍数（但し、Ｎｐを含む）であり、前記ステータコアが巻線供給ノズルの数と同数のティースを有する分割ステータコアから成る。
【００１６】
前記巻き回す工程において、分割ステータコアの全てのティースに対して同時に巻線を巻き回した後、分割ステータコア同士を接合する。
【００１７】
また本発明は、周方向両端に位置する前記巻線供給ノズルと周方向に隣接する他の前記巻線供給ノズルのなす角度が、前記ステータの中心軸に対するスロット同士の角度よりも小さくしても良い。
【００１８】
本発明のステータは、環状のヨーク、該ヨークの内周から突出する複数のティース、および周方向に隣接するティース間に形成されたスロットを有する円筒状のステータコアと、前記ステータコアの前記各ティースに集中巻きで巻回された巻線と、を備えた集中巻型回転電機用のステータであって、前記スロットが、第１スロットと、該第１スロットよりもステータコアにおける周方向の長さが小さい第２スロットとを備える。
【００１９】
前記第１スロットは、一の第１スロットを基準として、該一の第１スロットから周方向に、前記スロット数（Ｎｓ（Ｎｓは自然数））の約数（但し、１及びＮｓを含まず）で、且つ、前記回転電機の相数（Ｎｐ（Ｎｐは自然数））の倍数（但し、Ｎｐを含む）に相当する数（Ｎ（Ｎは自然数））毎の位置に配設されていることを特徴とする。
【００２０】
前記ステータコアにおいて、前記ティースの先端において周方向に伸びたツバ部、および該ツバ部同士の間に形成されたスロット開口部を備え、該スロット開口部がステータコアの周方向に等ピッチで且つ同一幅で形成されており、前記第１スロットを形成するためのティースが、ステータコアの中心軸の方向を向いており、前記第１スロットを形成するツバ部が、第２スロットを形成するためのツバ部よりも長い。
【００２１】
前記ステータコアにおいて、前記ティースの先端において周方向に伸びたツバ部、および該ツバ部同士の間に形成されたスロット開口部を備え、該スロット開口部がステータコアの周方向に等ピッチで且つ同一幅で形成されており、前記第１スロットを形成するためのティースが、ステータコアの中心軸よりも第１スロット側の方向を向いている。
【発明の効果】
【００２２】
本発明は、大きさの大きい第１スロット同士の間にあるティースに同時に巻線を巻き回すことによって、巻線供給ノズルの移動する位置を確保することができる。第２スロットでの巻線の占積率を高くすることができる。
【図面の簡単な説明】
【００２３】
【図１】本発明のステータのステータコアを示す図である。
【図２】ステータコアに巻線を巻き回す様子を示す図である。
【図３】巻線とノズルの関係を示す図であり、（ａ）は第２スロットの巻線とノズルの関係を示し、（ｂ）は第１スロットの巻線とノズルの関係を示す。
【図４】本発明のステータのステータコアを示す図である。
【図５】分割ステータコアからなるステータコアを示す図である。
【図６】分割ステータコアに巻線を巻き回す様子を示す図である。
【図７】ノズルの角度を変えた図である。
【図８】回転電機が適用された圧縮機を示す図である。
【図９】従来の回転電機のステータコアとロータを示す図である。
【図１０】巻線とノズルの関係を示す図である。
【発明を実施するための形態】
【００２４】
本発明のステータとその製造方法ついて図面を用いて説明する。ステータは集中巻型の回転電機に用いられるものである。回転電機は、従来と同様に、圧縮機などに適用できる。
【００２５】
本発明のステータ１０は、ステータコア１２と巻線１４を備える（図１、図３）。ステータコア１２は円筒状になっており、ステータ１０を回転電機に適用すると、ステータコア１２の内部空間に円柱状のロータ１６が配置される。図１では巻線１４を省略している。
【００２６】
ステータコア１２は、環状のヨーク１８、ヨーク１８の内周から突出した複数のティース２０、および隣り合うティース２０の間に形成されたスロット２２ａ、２２ｂを備える。ステータコア１２は軟磁性体で構成される。ヨーク１８は環状であり、ヨーク１８の内周から内部空間にティース２０が設けられる。スロット２２ａ、２２ｂは隣り合うティース２０同士の間の空間である。ティース２０の先端は、周方向に伸びたツバ部２４となっている。ツバ部２４同士の隙間をスロット開口部２６とする。ティース２０よりも内方にロータ１６が配置される。
【００２７】
巻線１４は集中巻きであり、ティース２０ごとに巻き付けられ、その一部がスロット２２ａ、２２ｂに配置される。少なくとも最外周の巻線１４は、スロット２２ａ、２２ｂのヨーク１８側からスロット開口部２６側に向けて順番に巻かれている。ステータコア１２と巻線１４との絶縁を確保するために、ヨーク１８とティース２０の表面にスロットセル（図示せず）を設ける。スロットセルは、絶縁性のフィルムであり、ＰＥＴ（polyethylene terephthalate）フィルムなどが挙げられる。以上が本発明の基本的な構成であり、以下、異なる部分を実施例ごとに説明する。
【実施例１】
【００２８】
ティース２０はステータコア１２の中心軸Ｏの方向を向いて突出している。この中心軸Ｏは、ロータ１６の回転軸と一致する。ティース２０は所定数ごとに間隔を変えて配置される。所定数としては、巻線１４を巻くための巻線供給ノズル２８の数である。巻線供給ノズル２８の数については後述する。
【００２９】
ティース２０の配置される間隔が異なることによって、スロット２２ａ、２２ｂの大きさも所定数ごとに変化する。大きさの大きいスロットを第１スロット２２ａ、第１スロット２２ａよりも小さいスロットを第２スロット２２ｂとする。第１スロット２２ａと第２スロット２２ｂは、各スロット２２ａ、２２ｂにおけるヨーク１８とツバ部２４の周方向の長さＬ１、Ｌ２、Ｌ３、Ｌ４が異なる。第１スロット２２ａのヨーク１８とツバ部２４の長さＬ１、Ｌ３が第２スロット２２ｂのヨーク１８とツバ部２４の長さＬ２、Ｌ４よりも長くなっている（Ｌ１＞Ｌ２、Ｌ３＞Ｌ４）。周方向に第１スロット２２ａが所定数ごとに配置され、その間に第２スロット２２ｂが配置される。図１の場合、第１スロット２２ａが３つのスロット２２ａ、２２ｂごとに１つであり、第２スロット２２ｂが第１スロット２２ａ同士の間に２つ配置される。
【００３０】
次に、ステータ１０の製造方法について説明する。（１）上述したステータコア１２を形成する。軟磁性体の電磁鋼板を打ち抜き加工し、積層することによってステータコア１２を形成する。積層はティース２０が重なるようにしておこなう。積層する前に、層間に絶縁層を形成し、渦電流損を生じにくくする。
【００３１】
（２）巻線供給ノズル２８をステータコア１２の内方に配置し、巻線供給ノズル２８の先端をティース２０の周りで周回させる（図２）。具体的には、巻線供給ノズル２８が、ティース２０よりも内方からスロット開口部２６を介してスロット２２ａ，２２ｂの内方に伸びている。巻線供給ノズル２８の先端がティース２０を周回するために、ティース２０に対して中心軸Ｏの方向に巻線供給ノズル２８を相対移動させ、周方向に所定角度で揺動させる。１つのティース２０に対して１本の巻線供給ノズル２８が旋回および揺動される。また、巻線供給ノズル２８がステータコア１２の径方向に伸縮されることにより、巻線１４の径方向の位置を変えることができる。巻線供給ノズル２８が移動する際、巻線供給ノズル２８の内部を通った巻線１４が、巻線供給ノズル２８の先端から送り出され、ティース２０に巻き回される。
【００３２】
複数本の巻線供給ノズル２８が同時にステータコア１２の内方に配置され、同時に巻線１４を巻き回す。各巻線供給ノズル２８の動きは同じである。巻線供給ノズル２８の本数Ｎｎ（Ｎｎは自然数）は、スロット数Ｎｓ（Ｎｓは自然数）の約数（但し、１及びＮｓを含まず）で、かつ、回転電機の相数Ｎｐ（Ｎｐは自然数）の倍数（但し、Ｎｐを含む）である。図２の場合、スロット２２ａ、２２ｂの数Ｎｓは６であり、相数Ｎｐは３であるため、巻線供給ノズル２８の本数Ｎｎを３にしている。
【００３３】
巻線供給ノズル２８間の角度は一定である。この角度は、３６０°をスロット２２ａ、２２ｂの数Ｎｓで割り算した値である。図２のステータコア１２のスロット２２ａ、２２ｂの数Ｎｓが６であるため、巻線供給ノズル２８間の角度は６０°である。スロット開口部２６の中心も６０°間隔になり、巻線供給ノズル２８がスロット開口部２６を通過する。
【００３４】
ステータコア１２の周方向における一の第１スロット２２ａから次の第１スロット２２ａまでの間に配置されたティース２０に同時に巻線１４が巻き回される。２つの第１スロット２２ａおよびそれらの第１スロット２２ａ間に配置された第２スロット２２ｂを巻線供給ノズル２８が移動する。
【００３５】
最外周の巻線１４を巻き回すとき、スロット２２ａ、２２ｂのヨーク１８側からスロット開口部２６の方へと順番に巻線１４が巻き回されるように巻線供給ノズル２８を移動させる。巻線供給ノズル２８の移動する位置に巻線１４を巻き回すことができ、第２スロット２２ｂにおける巻線１４の占積率を高めることができる（図３（ａ））。
【００３６】
（３）ある第１スロット２２ａ間のティース２０に対して上記（２）をおこなった後、他の第１スロット２２ａ間にあるティース２０に対して上記（２）をおこなう。上記（２）を全てのティース２０に対して繰り返し、全てのティース２０に巻線１４を巻き回す。第１スロット２２ａが第２スロット２２ｂに比べて大きくなっているため、上記（２）を繰り返したとき、第１スロット２２ａにおける巻線供給ノズル２８のスペースが確保される（図３（ｂ））。
【００３７】
巻線１４の中性点や端子を第１スロット２２ａに配置する。第２スロット２２ｂに比べて第１スロット２２ａの大きさが大きいため、中性点や端子を配置しやすい。
【００３８】
以上のように、本発明は大きさの大きい第１スロット２２ａを設け、第１スロット２２ａ同士の間にあるティース２０に同時に巻線１４を巻き回すことによって、巻線供給ノズル２８の移動する位置を確保することができる。第２スロット２２ｂでの巻線１４の占積率を高くすることができる。なお、全てのスロット２２ａ、２２ｂに占める第２スロット２２ｂの割合は巻線供給ノズル２８の数で決まり、（Ｎｎ−１）／Ｎｎである。
【実施例２】
【００３９】
実施例２のステータ３０は、実施例１のステータ１０と同様に、ステータコア３２に大きさの大きい第１スロット２２ａおよび第１スロット２２ａよりも小さい第２スロット２２ｂを備える（図４）。第１スロット２２ａは所定数ごとに設けられ、第１スロット２２ａ同士の間に第２スロット２２ｂが配置される。
【００４０】
第１スロット２２ａのヨーク部分の長さＬ１は、第２スロット２２ｂのヨーク部分の長さＬ２に比べて大きくなるようにする。全てのツバ部２４の周方向の長さＬ３，Ｌ４は同じであり、スロット開口部２６も同じにする。したがって、第１スロット２２ａを形成するためのティース２０'は、ステータコア３２の中心軸Ｏの方向を向かず、中心軸Ｏよりもスロット開口部２６側にずれた位置Ｏ'を向いている。他のティース２０はステータコア３２の中心軸Ｏの方向を向いている。
【００４１】
ステータ３０の製造方法は、実施例１と同様であるが、電磁鋼板を打ち抜くとき、図４の形状に合わせて打ち抜き加工をおこなう。また、巻線１４を巻き回すときも実施例１と同様に、第１スロット２２ａ同士の間にあるティース２０、２０'に巻線１４を同時に巻き回す。
【００４２】
実施例２においても、大きさを大きくした第１スロット２０ａを設けたことによって、巻線供給ノズル２８の位置を確保でき、第２スロット２２ｂでの巻線１４の占積率を高めることができる。
【実施例３】
【００４３】
ステータコア３６が複数の分割ステータコア３６'からなるステータ３４であっても良い（図５）。全てのティース２０とツバ部２４は同一形状であり、ティース２０の間隔も同じである。したがって、全てのスロット２２の大きさが同じになる。
【００４４】
ステータコア３６が分割ステータコア３６'に分割される位置３８は、巻線供給ノズル数２８と同数のスロット２２ごとに、そのスロット２２の中央である。スロット２２は空間であるため、実際はスロット２２の中央部分に対応するヨーク１８の部分に分割部３８を設ける。各分割ステータコア３６'に含まれるティース２０の数が巻線供給ノズル２８の数と同数である。
【００４５】
巻線供給ノズル２８の数は実施例１と同数であり、ステータコア３６のスロット数Ｎｓ（Ｎｓは自然数）の約数（但し、１及びＮｓを含まず）で、かつ、回転電機の相数Ｎｐ（Ｎｐは自然数）の倍数（但し、Ｎｐを含む）である。巻線供給ノズル２８の数と分割ステータコア３６'のティース２０の数は同じである。
【００４６】
分割ステータコア３６'に設けられた全てのティース２０に対して同時に巻線１４が巻き回される（図６）。分割ステータコア３６'のティース２０に巻線１４を巻き回した後、分割ステータコア３６'を溶接などで一体にして、ステータコア３６を形成する。
【００４７】
分割ステータコア３６'の両端のティース２０に巻線１４を巻き回す際、分割ステータコア３６'の外側に空間があるため、巻線供給ノズル２８の移動するスペースが確保される。分割ステータコア２８の両端のスロット２２が上記実施例の第１スロット２２ａと同様に巻線供給ノズル２８の移動スペースを有している。
【００４８】
ステータコア３６が複数の分割ステータコア３６'に分割されているため、全てのスロット２２に巻線供給ノズル２８を配置することができる。分割ステータコア３６'の全てのティース２０に同時に巻線１４を巻き回すことができる。ステータコア３６を形成したとき、全てのスロット２２の巻線１４の占積率が高くなっている。
【００４９】
なお、全てのスロット２２の大きさが同じではなく、実施例１や２のように第１スロット２２ａと第２スロット２２ｂを設け、第１スロット２２ａの中央で分割する構成であっても良い。
【実施例４】
【００５０】
図７のステータ４０のステータコア４２は、全てのティース２０とツバ部２４は同一形状であり、ティース２０の間隔も同じである。全てのスロット２２は同じ形状である。
【００５１】
上記実施例では、巻線１４を巻き回す際の巻線供給ノズル２８間の角度は３６０°をスロット２２の数Ｎｓで割り算した値（３６０／Ｎｓ）になっていたが、両側に配置される巻線供給ノズル２８'は内側に配置される巻線供給ノズル２８に向かって角度θだけ傾けても良い（図７）。両側の巻線供給ノズル２８'に対する内側の巻線供給ノズル２８の角度ψは、３６０／Ｎｓ−θとなり、角度ψは３６０°をスロット２２の数で割り算した値よりも小さくなる。なお、角度θは、巻線供給ノズル２８がツバ部２４にぶつからない角度である。
【００５２】
巻線供給ノズル２８の数は実施例１と同様に、スロット数Ｎｓ（Ｎｓは自然数）の約数（但し、１及びＮｓを含まず）で、かつ、回転電機の相数Ｎｐ（Ｎｐは自然数）の倍数（但し、Ｎｐを含む）である。実施例１と同様に巻線供給ノズル２８、２８'の数Ｎｓが３になれば、両側の巻線供給ノズル２８'が内側の１本の巻線供給ノズル２８に向かって角度θだけ傾く。上記実施例では、巻線供給ノズル２８間の角度は６０°であるが、本実施例では巻線供給ノズル２８'の角度ψは６０−θ°になる。
【００５３】
上記（２）の工程において、本実施例の巻線供給ノズル２８，２８'を使用して、複数のティース２０に同時に巻線を巻き回す。両側の巻線供給ノズル２８'が内側の巻線供給ノズル２８に向かって傾いているため、両側のティース２０に巻線１４を巻き回す際に、巻線供給ノズル２８'の位置が確保される。最後まで巻線１４を巻き回すことができ、巻線１４の占積率を高めることができる。
【実施例５】
【００５４】
上記の実施例は三相交流の回転電機に使用され、６つのティース２０を備えたステータ１０，３０、３４、４０について説明したが、回転電機が使用される電気回路の態様に合わせて適宜ティース２０の数などは変更しても良い。
【００５５】
その他、本発明は、その主旨を逸脱しない範囲で当業者の知識に基づき種々の改良、修正、変更を加えた態様で実施できるものである。
【符号の説明】
【００５６】
１０、３０、３４、４０：ステータ
１２、３２、３６、４２：ステータコア
１４：巻線
１６：ロータ
１８：ヨーク
２０：ティース
２２、２２ａ、２２ｂ：スロット
２４：ツバ部
２６：スロット開口部
２８、２８'：巻線供給ノズル
３６'：分割ステータコア
３８：分割部
【図１】
2013258822.tif 000003
【図２】
2013258822.tif 000004
【図３】
2013258822.tif 000005
【図４】
2013258822.tif 000006
【図５】
2013258822.tif 000007
【図６】
2013258822.tif 000008
【図７】
2013258822.tif 000009
【図８】
2013258822.tif 000010
【図９】
2013258822.tif 000011
【図１０】
2013258822.tif 000012